(57)【要約】【課題】簡単な構成でトラッキングの発生を容易に検知する。【解決手段】架空絶縁電線５でトラッキングを発生し易いトラッキング発生予測箇所７における架空絶縁電線５の外周に設けられ、かつ、装置本体３に覆われて前記トラッキングの発生で侵食される材質からなるスペーサ３と、このスペーサ３に一端側を埋設し、かつ、他端側を弛ませて前記架空絶縁電線５に固定した線条体１１と、前記トラッキングの発生でスペーサ３が侵食された時に前記線条体１１の一端側を前記スペーサ３から抜脱するように前記線条体１１に吊り下げた錘１３と、で構成されることを特徴とする。【選択図】図１
2009050110.tif 000002
【特許請求の範囲】
【請求項１】
架空絶縁電線でトラッキングを発生し易いトラッキング発生予測箇所における架空絶縁電線の外周に設けられ、かつ、装置本体に覆われて前記トラッキングの発生で侵食される材質からなるスペーサと、このスペーサに一端側を埋設し、かつ、他端側を弛ませて前記架空絶縁電線に固定した線条体と、前記トラッキングの発生でスペーサが侵食された時に前記線条体の一端側を前記スペーサから抜脱するように前記線条体に吊り下げた錘と、で構成されることを特徴とする架空絶縁電線のトラッキング検知装置。
【請求項２】
前記錘は、前記線条体に沿って移動自在に設けられていることを特徴とする請求項１記載の架空絶縁電線のトラッキング検知装置。
【請求項３】
前記錘は、前記線条体の前記スペーサ寄りの位置に吊り下げていることを特徴とする請求項１記載の架空絶縁電線のトラッキング検知装置。
【請求項４】
前記スペーサの内部には、通電状態を切り換える切換スイッチを備えた電子回路を設け、地上には、前記電子回路の通電状態を検知する導通検知装置を前記電子回路に導電線で接続して設け、前記線条体は、前記切換スイッチを切り換えるべく係合していることを特徴とする請求項１記載の架空絶縁電線のトラッキング検知装置。
【請求項５】
前記スペーサの内部には、通電状態を切り換える切換スイッチを備えた電子回路を設け、前記電子回路に接続し、かつ前記スペーサの外側に露出した発光体を設け、前記線条体は、前記切換スイッチを切り換えるべく係合していることを特徴とする請求項１記載の架空絶縁電線のトラッキング検知装置。
【請求項６】
前記トラッキング発生予測箇所は、前記架空絶縁電線を懸架する懸架部又はこの懸架部の近傍であることを特徴とする請求項１〜５のいずれかに記載の架空絶縁電線のトラッキング検知装置。
【請求項７】
前記トラッキング発生予測箇所は、前記架空絶縁電線を把持する把持部又はこの把持部の近傍であることを特徴とする請求項１〜５のいずれかに記載の架空絶縁電線のトラッキング検知装置。
【発明の詳細な説明】
【技術分野】
【０００１】
この発明は、架空絶縁電線のトラッキング検知装置に関し、特に屋外に布設される架空絶縁電線の懸架部又は把持部で雨水等の影響によりトラッキングが発生した時に、このトラッキングを検知するための架空絶縁電線のトラッキング検知装置に関する。
【背景技術】
【０００２】
従来、架空絶縁電線の懸架部又は把持部では、雨水等の影響によりトラッキングが発生する。すなわち、トラッキングは、雨水等の影響による湿潤あるいは塩害による塩分の付着等による汚損が原因でコロナ放電が生じるために、架空絶縁電線の絶縁体が破壊される現象である。このトラッキング現象は、架空絶縁電線の絶縁体に焼損を生じさせて応力腐食断線等の導体断裂事故を招くことがある。
【０００３】
このトラッキングの発生は布設環境・天候に大きな影響を受けるものであり、その発生を予知することは非常に難しいものである。その上、架空絶縁電線自体が高所に布設されるものであり、トラッキングは懸架部又は把持部の内部で生ずるために、地上からの点検ではトラッキングの発生を検知することが非常に困難である。
【０００４】
そこで、このトラッキングの対策として、例えば特許文献１では、高圧配電線の本線から引き出される高圧引下線にトラッキングを防止する材料又は部材を設けることで、高圧引下線への沿面距離を増大させている。
【０００５】
また、特許文献２では、絶縁電線用の保護カバーの耐トラッキング特性を向上させるために、前記保護カバーは合成樹脂製カバー本体の内外表面にセラミック層を形成している。これにより、前記カバー本体が耐熱性の高い無機物であるセラミック層で覆われているので、保護カバーは容易に熱劣化せず、トラッキングが発生しても事故が生じにくいとしている。
【０００６】
また、特許文献３では、トラッキングが生じていることを検知する機材として形状記憶合金が用いられている。すなわち、形状記憶合金によって、トラッキングが発生した場合に生ずる熱により異常を検知するものである。具体的には、形状記憶合金からなる電線巻付けバインドにて電線を碍子に保持すると共に、電線と電線巻付けバインドの端部との間で生じるトラッキング現象により電線巻付けバインドの温度が所定の値以上になると、電線巻付けバインドが記憶している形状に変形し、この変形を地上からの目視点検にて検知するものである。
【特許文献１】特開平９−５１６２７号公報
【特許文献２】特開平７−２９６６５８号公報
【特許文献３】特開２００６−２７８１１０号公報
【発明の開示】
【発明が解決しようとする課題】
【０００７】
ところで、従来の特許文献１においては、沿面距離を増大させることでトラッキングを防止しようとしているが、実際には汚損により沿面絶縁は低下してしまい、トラッキングを防止することは非常に困難である。
【０００８】
また、特許文献２においては、単に損傷を受けにくい無機材料の構造では確実にトラッキングを防止できるものではなく、トラッキング電流は流れてしまう。そのために、無機材料を使用しているセラミック層の部分は損傷を受けにくいが、その他の部材の樹脂材料は損傷を受けることになる。
【０００９】
また、特許文献３においては、形状記憶合金を使用してトラッキング現象の発生を知らせる方法であるが、トラッキングを生ずる部材は殆どの場合に屋外で使用されるものであり、環境温度に左右されるので、実現は困難であり、かつ、形状記憶合金は高価な部材である。
【００１０】
この発明は、簡単な構成でトラッキングの発生を容易に検知することを目的とする。
【課題を解決するための手段】
【００１１】
上記の課題を解決するために、この発明の架空絶縁電線のトラッキング検知装置は、架空絶縁電線でトラッキングを発生し易いトラッキング発生予測箇所における架空絶縁電線の外周に設けた架空絶縁電線のトラッキング装置であって、装置本体に覆われて、前記トラッキングの発生で侵食される材質からなるスペーサと、このスペーサに一端側を埋設し、かつ、他端側を弛ませて前記架空絶縁電線に固定した線条体と、前記トラッキングの発生でスペーサが侵食された時に前記線条体の一端側を前記スペーサから抜脱するように前記線条体に吊り下げた錘と、で構成されることを特徴とするものである。
【００１２】
また、この発明の架空絶縁電線のトラッキング検知装置は、前記架空絶縁電線のトラッキング検知装置において、前記錘は、前記線条体に沿って移動自在に設けられていることが好ましい。
【００１３】
また、この発明の架空絶縁電線のトラッキング検知装置は、前記架空絶縁電線のトラッキング検知装置において、前記錘は、前記線条体の前記スペーサ寄りの位置に吊り下げていることが好ましい。
【００１４】
また、この発明の架空絶縁電線のトラッキング検知装置は、前記架空絶縁電線のトラッキング検知装置において、前記スペーサの内部には、通電状態を切り換える切換スイッチを備えた電子回路を設け、地上には、前記電子回路の通電状態を検知する導通検知装置を前記電子回路に導電線で接続して設け、前記線条体は、前記切換スイッチを切り換えるべく係合していることが好ましい。
【００１５】
また、この発明の架空絶縁電線のトラッキング検知装置は、前記架空絶縁電線のトラッキング検知装置において、前記スペーサの内部には、通電状態を切り換える切換スイッチを備えた電子回路を設け、前記電子回路に接続し、かつ前記スペーサの外側に露出した発光体を設け、前記線条体は、前記切換スイッチを切り換えるべく係合していることが好ましい。
【００１６】
また、この発明の架空絶縁電線のトラッキング検知装置は、前記架空絶縁電線のトラッキング検知装置において、前記トラッキング発生予測箇所は、前記架空絶縁電線を懸架する懸架部又はこの懸架部の近傍であることが好ましい。
【００１７】
また、この発明の架空絶縁電線のトラッキング検知装置は、前記架空絶縁電線のトラッキング検知装置において、前記トラッキング発生予測箇所は、前記架空絶縁電線を把持する把持部又はこの把持部の近傍であることが好ましい。
【発明の効果】
【００１８】
以上のごとき課題を解決するための手段から理解されるように、この発明によれば、簡単な構成で、しかも高価な材料は使用せずに、トラッキングが発生していることを確実に検知できる。また、検知機構は重力を利用したものであるので、環境温度の影響を受けずに検知できる。また、スペーサ及び検知機構は簡単な構成でコンパクトにできるので、架空絶縁電線のトラッキング発生予測箇所の既存設備にも容易に設けることができ、トラッキング発生予測箇所の適用範囲が広いものである。
【発明を実施するための最良の形態】
【００１９】
以下、この発明の実施の形態について図面を参照して説明する。
【００２０】
図１を参照するに、第１の実施の形態に係る架空絶縁電線のトラッキング検知装置１は、トラッキングの発生で侵食される材質からなるスペーサ３が、架空絶縁電線５（以下、単に「電線」という）でトラッキングを発生し易いトラッキング発生予測箇所７における電線５の外周に設けられている。前記スペーサ３の外周は平板状の装置本体９で筒状に卷回して覆われることで、電線５に固定されている。なお、前記スペーサ３には、トラッキング現象の発生で侵食される樹脂やゴム等の材料が用いられている。
【００２１】
さらに、線条体としての例えばワイヤ１１はその一端側を前記スペーサ３に埋設され、かつ、他端側を弛ませて前記電線５に固定されている。また、前記トラッキングの発生でスペーサ３が侵食された時に前記ワイヤ１１の一端側を前記スペーサ３から抜脱するように錘１３が前記ワイヤ１１に吊り下げられている。
【００２２】
より詳しく説明すると、電線５は、図１に示されているように、中心導体１５と、この中心導体１５の外周を被覆する絶縁体１７と、で構成されている。
【００２３】
また、上記の線条体としての例えばワイヤ１１は、例えばステンレスもしくはガラス繊維などで作られたものである。また、上記の錘１３は、この実施の形態では前記ワイヤ１１を挿通可能な貫通穴部を有する中空の形状をしており、前記ワイヤ１１が錘１３の貫通穴部に挿通された状態で、前記ワイヤ１１の一端側にはワイヤ１１が垂れ下がっても錘１３が下方へ落下しないように錘１３の貫通穴部より大きい結び目あるいは他の部材等のストッパ部１９（図２参照）が設けられている。前記ワイヤ１１の前記ストッパ部１９を設けた方の一端側は前記スペーサ３の内部に埋設されており、一方、前記ワイヤ１１の他端側は弛ませた状態で電線５に巻き付けて縛ったり、あるいはリングなどの固定具を用いたり、あるいは他の方法で固定されている。
【００２４】
したがって、前記ワイヤ１１には、図１に示されているように、弛んだワイヤ１１のほぼ中央に位置する錘１３の重力により常時下方へ引っ張る付勢力がかかっていることになる。
【００２５】
上記構成により、トラッキングが発生して進行すると、図２に示されているように、電線５の被覆材である絶縁体１７のみならず、スペーサ３が侵食されるために、このスペーサ３に埋設していたワイヤ１１の一端側が錘１３の荷重による付勢力よってスペーサ３から抜け落ちて垂れ下がることになる。つまり、ワイヤ１１の他端側が電線５に固定されているので、錘１３の荷重がワイヤ１１の一端側をスペーサ３から抜脱する方向に引っ張ることになり、錘１３がワイヤ１１に沿ってワイヤ１１の一端側を下方へ落下させ、ワイヤ１１の一端側のストッパ部１９で停止する。
【００２６】
このようにワイヤ１１が電線５に垂れ下がった状態は、当該部位から離れた地上からも容易に確認することができるので、トラッキングの発生及びその進行を地上から容易に検知することができる。換言すれば、トラッキングの進行により生ずるスペーサ３の侵食状態を検知することで、トラッキングによる異常を検知することができる。
【００２７】
なお、前述した例では、錘１３がワイヤ１１を挿通可能な貫通穴部を有する中空の形状であり、錘１３の貫通穴部にワイヤ１１を挿通することで錘１３がワイヤ１１に沿って移動可能に設けられているが、他の例としては、錘１３がワイヤ１１に沿って移動しなくても、例えばワイヤ１１の一端側のスペーサ３の近傍、つまりスペーサ３寄りの位置に固定的に吊り下げたものであっても良い。この場合は、予めワイヤ１１の弛み長さがワイヤ１１の一端側をスペーサ３から抜脱するだけの余裕を持っていることが必要である。トラッキング現象によりスペーサ３が侵食されると、ワイヤ１１のスペーサ３の近傍に設けた錘１３の荷重により、ワイヤ１１のスペーサ３側の一端側をスペーサ３から抜脱方向に引っ張り出すことになり、ワイヤ１１が電線５に垂れ下がった状態になる。
【００２８】
なお、上記のトラッキング発生予測箇所７としては、高圧絶縁電線に多く見られる。例えば、高圧絶縁電線を支持する高圧引通し碍子の付近や、高圧引下げ線、高圧カットアウトリード線、変圧器プッシングリード線などでトラッキングが発生し易いものである。
【００２９】
より詳しく説明すると、上記の電線５は、例えば図３〜図５に示されているように、図示しない電柱の腕金２１に固定された高圧引通し碍子２３等の懸架部２５により適宜間隔毎に懸架され、あるいは、例えば図６〜図８に示されているように、複数の電線５から露出した中心導体１５同士を図示しないクランプで接続する把持部２７で把持されている。なお、前記把持部２７は高圧引留部絶縁カバー２９で覆われている。
【００３０】
なお、この実施の形態では、上記の懸架部２５とは、電路の中央部で電線５を下から持ち上げたり、上から吊り下げたりする部分をいうものであり、上記の把持部２７とは、電路の末端で電線５を把持する部分をいうものである。
【００３１】
このような例では、トラッキング発生予測箇所７としては、電線５を懸架する懸架部２５又は前記懸架部２５の近傍、あるいは、電線５を把持する把持部２７又は前記把持部２７の近傍を挙げることができる。
【００３２】
次に、第１の実施の形態のトラッキング検知装置１が前者の懸架部２５又は前記懸架部２５の近傍に取り付けられる場合について説明する。
【００３３】
図３（Ａ），（Ｂ）を参照するに、高圧引通し碍子２３は図示しない電柱の腕金２１に固定されて電線５を下から持ち上げる懸架部２５の例であり、トラッキング検知装置１は前記高圧引通し碍子２３で支持される部分の電線５に装着される。すなわち、スペーサ３が前記高圧引通し碍子２３で支持される部分の電線５の外周に装着されて装置本体９で固定され、錘１３に挿通したワイヤ１１の一端側がスペーサ３に埋設され、ワイヤ１１の他端側が弛んだ状態で電線５に固定される。なお、この例では、電線５にはバインド線３１が巻き付けられており、このバインド線３１は前記高圧引通し碍子２３にも巻き付けられているが、バインド線３１が無くても上記のスペーサ３を高圧引通し碍子２３に固定できる。
【００３４】
図４を参照するに、懸架部２５としての例えば碍子３３が既存の設備として設けられている場合は、前記碍子３３に隣接させてトラッキング検知装置１を設けることができる。すなわち、懸架部２５の既存の設備の近傍に後付けすることで適用可能である。なお、トラッキング検知装置１を装着する方法は、前述した図１の実施の形態と同様であるので、詳しい説明は省略する。
【００３５】
図５（Ａ）を参照するに、碍子３５は電柱３７の腕金３９に固定されて電線５を上から吊り下げる懸架部２５の例であり、前記碍子３５で支持される部分の電線５にトラッキング検知装置１を前述した図３の実施の形態と同様に装着することができる。
【００３６】
図５（Ｂ）を参照するに、碍子４１は図示しない電柱の腕金４３の上面に固定された複数の懸架部２５の例であり、前記各碍子４１で支持される部分の電線５にトラッキング検知装置１を前述した図３の実施の形態と同様に装着することができる。
【００３７】
図５（Ｃ）を参照するに、相間スペーサ４５と称するもので、電線５を上から吊り下げる懸架部２５の一例である。相間スペーサ４５は支持線４５Ａに吊り下げられた支持部材４５Ｂに例えば３箇所の電線保持部４５Ｃが設けられており、前記各電線保持部４５Ｃの電線５にトラッキング検知装置１を前述した図３の実施の形態と同様に装着することができる。
【００３８】
図５（Ｄ）を参照するに、高圧引下げ線４７と称するもので、横方向に延びる２本の腕金４９が上下に設けられ、複数の高圧引下げ線４７が２本の腕金４９に固定した複数の碍子５１の間に延線される。図のＡ部付近がトラッキング発生予測箇所７となる。そこで、トラッキング検知装置１を各高圧引下げ線４７のＡ部付近に前述した図１の実施の形態と同様に装着することができる。
【００３９】
次に、第１の実施の形態のトラッキング検知装置１が後者の把持部２７又は前記把持部２７の近傍に取り付けられる場合について説明する。
【００４０】
図６を参照するに、高圧引留部５３は電路の末端で電線５を把持する把持部２７の例であり、把持部２７は高圧引留部絶縁カバー２９で覆われている。トラッキング検知装置１は高圧引留部５３の高圧引留部絶縁カバー２９の後側（図６において左側）の近傍の電線５の外周に装着されている。なお、トラッキング検知装置１を装着する方法は、前述した図１の実施の形態と同様であるので、詳しい説明は省略する。
【００４１】
また、トラッキング検知装置１は、高圧引留部５３の高圧引留部絶縁カバー２９から図６において上方へ分岐された電線５にも前記高圧引留部絶縁カバー２９の近傍に装着することができる。この場合のトラッキング検知装置１を装着する方法は、前述した図１の実施の形態と同様であるので、詳しい説明は省略する。
【００４２】
図７を参照するに、トラッキング検知装置１は、図６と同様の把持部２７としての例えば高圧引留部５３の高圧引留部絶縁カバー２９の外側に装着される。すなわち、スペーサ３が電線５を覆っている前記高圧引留部絶縁カバー２９の外周に装着されて装置本体９で固定され、錘１３に挿通したワイヤ１１の一端側がスペーサ３に埋設され、ワイヤ１１の他端側が弛んだ状態で電線５に固定される。
【００４３】
図８を参照するに、トラッキング検知装置１は、図６と同様の高圧引留部５３の高圧引留部絶縁カバー２９の内側の電線５に前述した図１の実施の形態と同様に装着される。
【００４４】
以上のことから、第１の実施の形態のトラッキング検知装置１は下記に示す効果を奏する。
【００４５】
（１）簡単な構成で、トラッキングの進展を確実に検知できる。また、従来のように沿面距離を長く取る必要がなく、既存部材の一部として構成できるので、部材自体をコンパクトにできる。
【００４６】
（２）トラッキングによるスペーサ３の材料としての例えば樹脂材料の侵食を利用するので、形状記憶合金などのような高価な材料は使用しなくとも、トラッキングが発生していることを確実に検知できる。すなわち、トラッキングによる侵食を受けにくい高価で重い無機材料ではなく、安価で軽量な樹脂材料を懸架部２５や把持部２７やそれぞれの近傍のトラッキング発生予測箇所７に使用できる。
【００４７】
（３）トラッキング発生の異常表示のための検知機構は、重力を利用するものなので、屋外での不確定要素である環境温度の影響を受けずに確実に検知できる。また、従来のような電線巻付けバインドを設けなくても検知できる。
【００４８】
（４）電線５の懸架部２５や把持部２７に組み込むことが可能であるので、懸架部２５や把持部２７は従来通りの大きさで済むので適用範囲が広いものである。
【００４９】
（５）軽量樹脂材料を使用するので、例えば、懸架部２５や把持部２７を吊り上げるワイヤなどの周辺部材は従来通りの大きさや強度でも構わない。
【００５０】
（６）既存の懸架部２５や把持部２７やそれぞれの近傍のトラッキング発生予測箇所７に後付けすることができ、既存設備にも適用できる。
【００５１】
次に、この発明の第２の実施の形態に係るトラッキング検知装置５５について図面を参照して説明する。なお、前述した第１の実施の形態のトラッキング検知装置１とほぼ同様であるので、主として異なる部分のみを説明し、同様の部材は同じ符号を付して詳細な説明は省略する。  
図９を参照するに、前記スペーサ３の内部には通電状態を切り換える切換スイッチ５７を備えた電子回路５９を設けており、地上には電子回路５９の通電状態を検知する導通検知装置６１が前記電子回路５９に導電線６３にて接続されている。また、前述した第１の実施の形態と同様のワイヤ１１の一端側が前記スペーサ３の内部に埋設されており、ワイヤ１１の一端側の端部が前記切換スイッチ５７を切り換えるべく係合している。なお、この第２の実施の形態では、切換スイッチ５７は断路スイッチであり、通常では電子回路５９に通電されている状態にあり、導通検知装置６１は電子回路５９のＯＮ状態からＯＦＦに切り換わったことを検知するものである。しかし、その逆も可能である。
【００５２】
したがって、トラッキング現象によりスペーサ３が侵食されると、前述した第１の実施の形態と同様に、錘１３の荷重により、ワイヤ１１のスペーサ側の一端側がスペーサ３から抜脱方向に引っ張られることになり、ワイヤ１１の端部に係合する切換スイッチ５７が作動して、電子回路５９のＯＮ状態を遮断してＯＦＦに切り換わる。導通検知装置６１がこの電子回路５９のＯＦＦ状態を検知することになり、トラッキングの発生及びその進行を地上から容易に検知することができる。
【００５３】
以上のことから、この発明の第２の実施の形態のトラッキング検知装置５５は、基本的には、前述した第１の実施の形態のトラッキング検知装置１の場合とほぼ同様であるので、詳細な説明は省略する。なお、トラッキング検知装置５５は重力と電気的なものであるので、環境温度の影響を受けずに検知できる。
【００５４】
次に、この発明の第３の実施の形態に係るトラッキング検知装置６５について図面を参照して説明する。なお、前述した第１及び第２の実施の形態のトラッキング検知装置１、５５とほぼ同様であるので、主として異なる部分のみを説明し、同様の部材は同じ符号を付して詳細な説明は省略する。
【００５５】
図１０を参照するに、前記スペーサ３の内部には通電状態を切り換える切換スイッチ６７を備えた電子回路６９を設けており、前記スペーサ３の外側に露出した発光ダイオード（ＬＥＤ）などの発光体７１が前記電子回路６９に接続して設けられている。また、前述した第１の実施の形態と同様のワイヤ１１の一端側が前記スペーサ３の内部に埋設されており、ワイヤ１１の一端側の端部が前記切換スイッチ６７を切り換えるべく係合している。なお、この第３の実施の形態では、通常では電子回路５９に通電されていない状態にあり、切換スイッチ５７はＯＦＦ状態からＯＮ状態に切り換えるスイッチである。しかし、その逆も可能である。
【００５６】
したがって、トラッキング現象によりスペーサ３が侵食されると、前述した第１の実施の形態と同様に、錘１３の荷重により、ワイヤ１１のスペーサ３側の一端側がスペーサ３から抜脱方向に引っ張られることになり、ワイヤ１１の先端に係合する切換スイッチ６７が作動して、電子回路６９のＯＦＦ状態からＯＮ状態に切り換わるので、発光体７１が発光することになり、トラッキングの発生及びその進行を地上から容易に光学的に異常表示を検知することができる。
【００５７】
以上のことから、この発明の第３の実施の形態のトラッキング検知装置６５は、基本的には、前述した第１及び第２の実施の形態のトラッキング検知装置１、５５の場合とほぼ同様であるので、詳細な説明は省略する。なお、トラッキング検知装置６５は重力と電気的なものであるので、環境温度の影響を受けずに検知できる。
【００５８】
なお、前述した第２，第３の実施の形態のトラッキング検知装置５５、６５は、前述した第１の実施の形態の図３〜図８の例と同様に適用可能である。
【００５９】
また、第１の実施の形態のトラッキング検知装置１は、最も簡単な装置であるが、第２及び第３の実施の形態のトラッキング検知装置５５、６５も比較的簡単な装置である。
【図面の簡単な説明】
【００６０】
【図１】この発明の第１の実施の形態の架空絶縁電線のトラッキング検知装置を概略的に示す斜視図である。
【図２】図１のトラッキング検知装置でトラッキング現象を検知したときの状態を示す斜視図である。
【００６１】
装置を概略的に示す斜視図である。
【図３】（Ａ）は、第１の実施の形態のトラッキング検知装置を懸架部としての高圧引通し碍子に装着した状態の正面図で、（Ｂ）は（Ａ）の斜視図である。
【図４】第１の実施の形態のトラッキング検知装置を既存の懸架部の近傍に後付けした一例を示す要部断面を含む斜視図である。
【図５】（Ａ）〜（Ｄ）は、第１の実施の形態のトラッキング検知装置を他の懸架部に装着した状態の斜視図である。
【図６】第１の実施の形態のトラッキング検知装置を既存の把持部の近傍に後付けした一例を示す斜視図である。
【図７】第１の実施の形態のトラッキング検知装置を把持部の高圧引留部絶縁カバーの外部に装着した状態の斜視図である。
【図８】第１の実施の形態のトラッキング検知装置を把持部の高圧引留部絶縁カバーの内部に装着した状態の斜視図である。
【図９】この発明の第２の実施の形態の架空絶縁電線のトラッキング検知装置を概略的に示す斜視図である。
【図１０】この発明の第３の実施の形態の架空絶縁電線のトラッキング検知
【符号の説明】
【００６２】
１  トラッキング検知装置（第１の実施の形態の）
３  スペーサ
５  架空絶縁電線
７  トラッキング発生予測箇所
９  装置本体
１１  ワイヤ（線条体）
１３  錘
１５  中心導体
１７  絶縁体
１９  ストッパ部
２１  腕金
２３  高圧引通し碍子
２５  懸架部
２７  把持部
２９  高圧引留部絶縁カバー
３３、３５、４１  碍子
４５  相間スペーサ
４７  高圧引下げ線
５１  碍子
５３  高圧引留部
５５  トラッキング検知装置（第２の実施の形態の）
５７  切換スイッチ
５９  電子回路
６１  導通検知装置
６３  導電線
６５  トラッキング検知装置（第３の実施の形態の）
６７  切換スイッチ
６９  電子回路
７１  発光体
【図１】
2009050110.tif 000003
【図２】
2009050110.tif 000004
【図３】
2009050110.tif 000005
【図４】
2009050110.tif 000006
【図５】
2009050110.tif 000007
【図６】
2009050110.tif 000008
【図７】
2009050110.tif 000009
【図８】
2009050110.tif 000010
【図９】
2009050110.tif 000011
【図１０】
2009050110.tif 000012